(57)【要約】      （修正有）【課題】コンパクトな装置で潤滑油、切削油の混入物を磁性体、非磁性体にかかわらず分離除去できる潤滑油、切削油の混入物除去装置を提供する。【解決手段】油タンクＴと遠心分離式混入物除去手段Ｃと磁石式混入物除去手段Ｍと送液ポンプＰとを備えている。送液ポンプを介して油タンクと遠心分離式混入物除去手段の吸入ポートcおよび磁石式混入物除去手段との吸入ポートmとを流路によって連結する。且つ、遠心分離式混入物除去手段の排出ポートdおよび磁石式混入物除去手段との排出ポートnと油タンクとを流路によって連結した潤滑油・切削油の混入物除去装置である。【選択図】図１
2008137132.tif 000002
【特許請求の範囲】
【請求項１】
油タンクと遠心分離式混入物除去手段と磁石式混入物除去手段と送液ポンプとを備え、前記送液ポンプを介して前記油タンクと前記遠心分離式混入物除去手段の吸入ポートおよび前記磁石式混入物除去手段との吸入ポートとを流路によって連結し、且つ、前記遠心分離式混入物除去手段の排出ポートおよび前記磁石式混入物除去手段との排出ポートと前記油タンクとを流路によって連結したことを特徴とする潤滑油・切削油の混入物除去装置。
【請求項２】
請求項１の潤滑油・切削油の混入物除去装置において、前記磁石式混入物除去手段として、フレームに磁石を介して非磁性体の油受板を載置し、前記油受板を前記フレームに揺動可能に設置するとともにその揺動中心側を上部にして斜面状に配置可能とし、前記フレームにおける前記油受板の上流側の上方に供給ノズルを配置するとともに同下流側の下方に浄化切削液受け箱を配置し、且つ、前記フレームにおける前記油受板の上流側の下方に切粉受け箱を配置したことを特徴とする潤滑油・切削油の混入物除去装置。
【請求項３】
油タンクと補助タンクと遠心分離式混入物除去手段と磁石式混入物除去手段と第一送液ポンプと第二送液ポンプとを備え、第一送液ポンプを介して前記油タンクと前記磁石式混入物除去手段との吸入ポートとを流路によって連結するとともにこの磁石式混入物除去手段の排出ポートと補助タンクとを流路によって連結し、且つ、第二送液ポンプを介して前記補助タンクと前記遠心分離式混入物除去手段との吸入ポートとを流路によって連結するとともにこの遠心分離式混入物除去手段との排出ポートと前記油タンクとを流路によって連結したことを特徴とする潤滑油・切削油の混入物除去装置。
【請求項４】
請求項３の潤滑油・切削油の混入物除去装置において、前記磁石式混入物除去手段として、フレームに磁石を介して非磁性体の油受板を載置し、前記油受板を前記フレームに揺動可能に設置するとともにその揺動中心側を上部にして斜面状に配置可能とし、前記フレームにおける前記油受板の上流側の上方に供給ノズルを配置するとともに同下流側の下方に浄化切削液受け箱を配置し、且つ、前記フレームにおける前記油受板の上流側の下方に切粉受け箱を配置したことを特徴とする潤滑油・切削油の混入物除去装置。
【請求項５】
油タンクと補助タンクと遠心分離式混入物除去手段と磁石式混入物除去手段と第一送液ポンプと第二送液ポンプとを備え、第一送液ポンプを介して前記油タンクと前記遠心分離式混入物除去手段との吸入ポートとを流路によって連結するとともにこの遠心分離式混入物除去手段の排出ポートと補助タンクとを流路によって連結し、且つ、第二送液ポンプを介して前記補助タンクと前記磁石式混入物除去手段との吸入ポートとを流路によって連結するとともにこの磁石式混入物除去手段との排出ポートと前記油タンクとを流路によって連結したことを特徴とする潤滑油・切削油の混入物除去装置。
【請求項６】
請求項５の潤滑油・切削油の混入物除去装置において、前記磁石式混入物除去手段として、フレームに磁石を介して非磁性体の油受板を載置し、前記油受板を前記フレームに揺動可能に設置するとともにその揺動中心側を上部にして斜面状に配置可能とし、前記フレームにおける前記油受板の上流側の上方に供給ノズルを配置するとともに同下流側の下方に浄化切削液受け箱を配置し、且つ、前記フレームにおける前記油受板の上流側の下方に切粉受け箱を配置したことを特徴とする潤滑油・切削油の混入物除去装置。
【発明の詳細な説明】
【技術分野】
【０００１】
この発明は潤滑油・切削油の混入物除去装置に関し、潤滑油（エンジンオイル等）や切削油の混入物を分離除去する場合に使用されるものである。
【背景技術】
【０００２】
従来におけるこの種の混入物除去装置は、非磁性体からなる切削油流路の裏面に磁石を配置したものであり、この切削油流路に切削油を通過させることよって混入する切粉（磁性体のもの、以下同じ）をその表面に吸着させることによって除去し、送油ポンプの詰まりや刃物の磨耗を防止していた。
【０００３】
【特許文献１】特開平０５−１３８０６６号公報
【発明の開示】
【発明が解決しようとする課題】
【０００４】
しかしながら、かかる従来における混入物除去装置にあっては、磁力を応用していたにすぎないため、磁性体の混入物のみ吸着除去し、非磁性体の混入物はそのまま残存する結果、潤滑油・切削油の浄化の程度を上げにくいという不都合を有した。
【０００５】
この発明の課題はこの不都合を解消することである。
【課題を解決するための手段】
【０００６】
この課題を達成するために、発明者は鋭意研究し、この発明を完成した。
第１発明に係る潤滑油・切削油の混入物除去装置においては、油タンクと遠心分離式混入物除去手段と磁石式混入物除去手段と送液ポンプとを備え、前記送液ポンプを介して前記油タンクと前記遠心分離式混入物除去手段の吸入ポートおよび前記磁石式混入物除去手段との吸入ポートとを流路によって連結し、且つ、前記遠心分離式混入物除去手段の排出ポートおよび前記磁石式混入物除去手段との排出ポートと前記油タンクとを流路によって連結したものである。
【０００７】
また、第２発明に係る潤滑油・切削油の混入物除去装置においては、油タンクと補助タンクと遠心分離式混入物除去手段と磁石式混入物除去手段と第一送液ポンプと第二送液ポンプとを備え、第一送液ポンプを介して前記油タンクと前記磁石式混入物除去手段との吸入ポートとを流路によって連結するとともにこの磁石式混入物除去手段の排出ポートと補助タンクとを流路によって連結し、且つ、第二送液ポンプを介して前記補助タンクと前記遠心分離式混入物除去手段との吸入ポートとを流路によって連結するとともにこの遠心分離式混入物除去手段との排出ポートと前記油タンクとを流路によって連結したものである。
【０００８】
また、第３発明に係る潤滑油・切削油の混入物除去装置においては、油タンクと補助タンクと遠心分離式混入物除去手段と磁石式混入物除去手段と第一送液ポンプと第二送液ポンプとを備え、第一送液ポンプを介して前記油タンクと前記遠心分離式混入物除去手段との吸入ポートとを流路によって連結するとともにこの遠心分離式混入物除去手段の排出ポートと補助タンクとを流路によって連結し、且つ、第二送液ポンプを介して前記補助タンクと前記磁石式混入物除去手段との吸入ポートとを流路によって連結するとともにこの磁石式混入物除去手段との排出ポートと前記油タンクとを流路によって連結したものである。
【０００９】
なお、第１〜３発明において、前記磁石式混入物除去手段として、フレームに磁石を介して非磁性体の油受板を載置し、前記油受板を前記フレームに揺動可能に設置するとともにその揺動中心側を上部にして斜面状に配置可能とし、前記フレームにおける前記油受板の上流側の上方に供給ノズルを配置するとともに同下流側の下方に浄化切削液受け箱を配置し、且つ、前記フレームにおける前記油受板の上流側の下方に切粉受け箱を配置することができる。
【発明の効果】
【００１０】
第１〜３発明に係る潤滑油・切削油の混入物除去装置は上記のように構成されているため、油タンク内の潤滑油・切削油等は遠心分離式混入物除去手段によって磁性体・非磁性体の混入物を分離除去し、磁石式混入物除去手段によって磁性体の混入物を分離除去し、前記タンク内に戻すことができる。これを繰り返すことによって前記タンク内の潤滑油・切削油の混入物を分離除去することができる。
【００１１】
よって、この第１〜３発明に係る潤滑油・切削油の混入物除去装置を使用すれば、潤滑油・切削油の浄化の程度を上げやすいものである。
【００１２】
なお、第１発明の潤滑油・切削油の混入物除去装置にあっては、一つの送液ポンプで済むため装置がコンバクトになる。
【００１３】
第２発明の潤滑油・切削油の混入物除去装置にあっては、磁石式混入物除去手段で磁性体の混入物を除去した後、遠心分離式混入物除去手段によって処理するため、遠心分離式混入物除去手段の耐久性は向上する。
【００１４】
第３発明の潤滑油・切削油の混入物除去装置にあっては、遠心分離式混入物除去手段で比較的おおきな混入物を除去した後、磁石式混入物除去手段によって処理するため粉かな磁性体の混入物を除去しやすいものである。
【００１５】
上記第１〜３発明に係る潤滑油・切削油の混入物除去装置において、磁石式混入物除去手段として、フレームに磁石を介して非磁性体の油受板を載置し、前記油受板を前記フレームに揺動可能に設置するとともにその揺動中心側を上部にして斜面状に配置可能とし、前記フレームにおける前記油受板の上流側の上方に供給ノズルを配置するとともに同下流側の下方に浄化切削液受け箱を配置し、且つ、前記フレームにおける前記油受板の上流側の下方に切粉受け箱を配置すれば、
前記供給ノズルから前記油受板の上流側に切粉が混入している切削液を供給することができ、この切削液は前記油受板を下流方向へ流れながら、混入している切粉を、磁石の磁力によって前記油受板の表面に吸着させ、浄化された状態で浄化切削液受け箱に流入する。その後、前記油受板を上流側に揺動させ、略、垂直状態にすれば、前記磁石は前記油受板から離脱するため、油受板上の切粉に磁力は及ばず、この結果、この切粉は重力によって前記油受板を滑り落ち、前記切粉受け箱に収容される。このため、簡単な手作業によって、油受板上の切粉を切粉受け箱に集めることができるため、油受板に吸着した切粉の寄せ集め作業が簡易となり、この結果、切削油に混入する切粉の除去作業の能率を向上させることができる。
【００１６】
なお、前記フレームに前記供給ノズルを支持具を介して揺動可能に設置すれば、前記油受板を略垂直状態に揺動させる際に、供給ノズルが接触しないように動かすことができるため、供給ノズルを前記油受板の上流側の上方近傍に配置することができる結果、前記油受板における切削液の跳ねを防止できる。
【００１７】
また、前記フレームにカバー具を揺動可能に設置し、このカバー具に供給ノズルを設置すれば、カバー具を開いたときに、供給ノズルを動かすことができるため、当該装置自体にカバー具を設置した場合には、前記カバー具の開放と前記油受板の垂直状態への揺動との２アクションで前記油受板30に吸着した切粉の寄せ集め作業ができる。なお、前記フレームに前記供給ノズルを支持具を介して設置し、さらに、カバー具を設置した場合には、カバー具を開けた後、供給ノズルを揺動し、その後、前記油受板を略垂直状態に揺動させる必要があるため、３アクションが必要となる。
【発明を実施するための最良の形態】
【００１８】
この発明に係る切削油・潤滑油の混入物除去装置は、送液ポンプを介して油タンクと遠心分離式混入物除去手段の吸入ポートおよび磁石式混入物除去手段との吸入ポートとを流路によって連結し、且つ、遠心分離式混入物除去手段の排出ポートおよび磁石式混入物除去手段との排出ポートと油タンクとを流路によって連結する事に最も主要な特徴を有する。
【実施例】
【００１９】
以下、この発明の実施例を図面に基づいて説明する。
【００２０】
図１は第１発明に係る切削油・潤滑油の混入物除去装置の回路図、図２は第２発明に係る切削油・潤滑油の混入物除去装置の回路図、図３は第３発明に係る切削油・潤滑油の混入物除去装置の回路図、図４および図５は第１〜３発明で使用される磁石式混入物除去手段の斜視図、図６はカバー具を開けた状態の斜視図、図７はさらに同油受板を略垂直状態に立てた状態の斜視図である。
【００２１】
図１は第１発明に係る切削油・潤滑油の混入物除去装置の回路を示した図である。
図において、Ｔは油タンクである。この油タンクＴには混入物を含んだ切削油・潤滑油Ｏが収容されている。Ａは吸引ホースであり、一端を前記油タンクＴに繋がれ、他端は遠心分離式混入物除去手段Ｃの吸入ポートｃおよび磁石式混入物除去手段Ｍの吸入ポートｍに繋がっている。前記油タンクＴ内の切削油・潤滑油（エンジンオイル等）Ｏは送液ポンプＰの駆動によって、バルブＶ１を介して前記磁石式混入物除去手段Ｍに送られ、また、バルブＶ２を介して前記遠心分離式混入物除去手段Ｃに送られる。
【００２２】
ここに、遠心分離式混入物除去手段Ｃとしては、切削油・潤滑油Ｏを適宜駆動手段によって回転し発生する遠心力によって、混入している物を除去とするという従来から存在する装置を使用する。また、磁石式混入物除去手段Ｍとしては、切削油・潤滑油Ｏを適宜駆動手段によって流し、磁力によって混入している磁性体を除去するものを使用している。
【００２３】
次に、Ｅ１は第一排出管であり、一端を前記遠心分離式混入物除去手段Ｃの排出ポートｄに繋がれ、他端を前記油タンクＴに開放している。また、Ｅ２は第二排出管であり、一端を前記磁石式混入物除去手段Ｍの排出ポートｎに繋がれ、他端を前記油タンクＴに開放している。
【００２４】
このように構成される切削油・潤滑油の混入物除去装置において、バルブＶ１，Ｖ２を開放し、送液ポンプＰを駆動させる。すると、前記油タンクＴ内の切削油・潤滑油Ｏは吸引ホースＡを介して、前記磁石式混入物除去手段Ｍおよび遠心分離式混入物除去手段Ｃに送られ、これらの混入物除去手段Ｍ，Ｃの作動によって、それぞれ混入物が除去される。混入物の除去された切削油・潤滑油Ｏはそれぞれ第一排出管Ｅ２，第二排出管Ｅ１を介して前記油タンクＴ内に戻される。この操作を繰り返すこことによって前記油タンクＴ内の切削油・潤滑油Ｏの混入物を除去する。
【００２５】
なお、前記バルブＶ１，Ｖ２の開閉を適宜選択すれば、前記磁石式混入物除去手段Ｍ又は遠心分離式混入物除去手段Ｃのいずれかのみを選択して混入物の除去作業をすることができる。
【００２６】
図２は第２発明に係る切削油・潤滑油の混入物除去装置の回路を示した図である。
【００２７】
この混入物除去装置においては、前記油タンクＴ内の切削油・潤滑油Ｏは第一送液ポンプＰ１の駆動によって、まず前記磁石式混入物除去手段Ｍに送られる。そして、磁性体の混入物が除去された後、切削油・潤滑油Ｏは補助タンクＢに送られる。この補助タンクＢ内の切削油・潤滑油Ｏは第二送液ポンプＰ２の駆動によって、前記遠心分離式混入物除去手段Ｃに送られる。そして、遠心力によって混入物を除去したのち、排出管Ｅを介して前記油タンクＴ内に戻される。この操作を繰り返すこことによって前記油タンクＴ内の切削油・潤滑油Ｏの混入物を除去する。なお、Ｆは補助タンクＢのオーバーフローを防止するための還流路であり、前記油タンクＴに繋がっている。
【００２８】
図３は第３発明に係る切削油・潤滑油の混入物除去装置の回路を示した図である。
【００２９】
この混入物除去装置においては、前記油タンクＴ内の切削油・潤滑油Ｏは第一送液ポンプＰ１の駆動によって、まず前記遠心分離式混入物除去手段Ｃに送られる。そして、遠心力によって混入物を除去したのち、切削油・潤滑油Ｏは補助タンクＢに送られる。この補助タンクＢ内の切削油・潤滑油Ｏは第二送液ポンプＰ２の駆動によって、前記磁石式混入物除去手段Ｍに送られる。そして、磁性体（残っているもの）の混入物を除去したのち、排出管Ｅを介して前記油タンクＴ内に戻される。この操作を繰り返すこことによって前記油タンクＴ内の切削油・潤滑油Ｏの混入物を除去する。
【００３０】
次に、図４〜図７に基づいて、第一発明に相当する前記切削油・潤滑油の混入物除去装置を説明する。
【００３１】
図４〜７において、Ｄは切削油・潤滑油の混入物除去装置、10はその基台である。この基台10の上部に前記遠心分離式混入物除去装置（「遠心分離式混入物除去手段」に相当する）Ｃが載置された状態で固定され、更に、ブラケット111 を介して天板12が設置され、この天板11に前記磁石式混入物除去装置（「磁石式混入物除去手段」に相当する）Ｍが載置された状態で固定されている。
【００３２】
前記遠心分離式混入物除去装置Ｃは、従来存在する市販のものを使用している。前記送液ポンプＰ（図１を参照のこと）の駆動によって、前記油タンクＴ内の切削油・潤滑油Ｏが吸引ホースＡを介して、バルブＶ２（図１を参照のこと）を通過し、この遠心分離式混入物除去装置Ｃに送られる。この遠心分離式混入物除去装置Ｃが作動すると、切削油・潤滑油Ｏが回転し、その遠心力によって、混入物が分離除去される。そして、浄化された切削油・潤滑油Ｏは第一排出管Ｅ１を介して前記油タンクＴ内に戻される。
【００３３】
次に、前記磁石式混入物除去装置Ｍについて説明する。
図６，７において、12,12 は脚板であり、前記天板11にボルト止めによって立設されている。これらの脚板12,12 は一定間隔を介して配置され、その上端縁は傾斜している。  
【００３４】
図７において、20は磁石取付板であり、前記一対の脚板12,12 の間に配置され、ボルト止めされている。この磁石取付板20は前記脚板12,12 の上端縁に沿って配置されているため、斜面状になっている。前記磁石取付板20は四角形の鉄板からなり、両側にそれぞれ折り曲げ片21,21,…を有している。この折り曲げ片21は略垂直に折り曲げられ、上方に向かっている。
【００３５】
なお、前記基台10，前記天板11，前記脚板12,12 ，前記磁石取付板20がこの発明のフレームを構成する。
【００３６】
Ｎ，Ｎ，…は永久磁石であり、前記磁石取付板20に載置された状態で吸着固定されている。この永久磁石Ｎ，Ｎ，…の役目は後記する（図６を参照のこと）。
【００３７】
30は油受板であり、前記磁石取付板20の上端縁側に蝶番（図示せず）を介して揺動可能に設置されている（図６と図７を参照のこと）。この油受板30は、前記磁石取付板20上に磁石Ｎを介して、斜面状に載置された状態（図６の状態）と、前記蝶番（図示せず）中心とし揺動し、略垂直の状態（図７の状態）を採ることができる。32は把手であり、前記油受板30の下端縁に設置されている。この把手32は前記油受板30を揺動するときに把持するためのものである。  
【００３８】
次に、60は浄化液受け箱であり、前記天板11における前記油受板30の下流側にに設置されている。この浄化切削液受け箱60は前記油受板30の下端部の下方に位置し、浄化された切削油・潤滑油を収容する。61は第一排出管Ｅ１であり、浄化された切削油・潤滑油を前記油タンクＴへ排出する。なお、この浄化液受け箱60の底面は前記第２排出管Ｅ２側に向かって下がり傾斜をし、切削油・潤滑油の排出を容易にしている。
【００３９】
また、71は混入物（切粉等）受け箱であり、前記天板11における前記油受板30の上流側にに設置されている。この混入物受け箱71は前記油受板30の上端部の下方に位置し、除去された混入物（切粉等）を収容する。
【００４０】
次に、80はカバー具であり、前記天板11における前記浄化液受け箱60の外側に蝶番811 を介して揺動可能に設置されている。このカバー具80は前記油受板30，前記浄化切削液受け箱60および前記混入物受け箱71を覆うためのものである。
【００４１】
53は切削油・潤滑油等の供給管であり、前記カバー具80に設置されている。この供給管53は前記油受板30の上端縁に沿って略平行に延びている。54,54,…は切削油・潤滑油等の供給ノズル（この発明の「供給ノズル」に相当する）であり、前記供給管53にフレキシブル連結管55,55,…を介して連結されている。この供給ノズル54,54,…は前記カバー具80を閉じたときに（図４，図５の状態）、前記油受板30の上端部に配置される。なお、この供給ノズル54,54,…は先端開口が横長状の楕円になっているため、切削油・潤滑油等を層流の状態で前記油受板30に対して矢印方向（図６において）に供給することができる。
【００４２】
なお、Ａは吸引ホースであり、前記送液ポンプＰの作動によりバルブＶ１を介して前記油タンクＴ内の切削油・潤滑油等を前記供給管53に切削液を供給するためのものである。    
【００４３】
なお、前記カバー具80において、81は窓、82はこの窓81に張設された透明板である。
【００４４】
このように、前記カバー具80を構成すると、このカバー具80を開いたときに、前記供給ノズル54を前記油受板30の上端部から移動させることができるため、前記カバー具80の開放と前記油受板30の垂直状態への揺動との２アクションで前記油受板30に吸着した切粉の寄せ集め作業ができる。
【００４５】
このように構成される切削油・潤滑油の切粉除去装置Ｄの作用を説明する。
【００４６】
まず、前記油受板30を前記磁石Ｎ，Ｎ，…の上に載置し（図６の状態）、且つ、前記カバー具80を閉止状態にする。このとき、前記供給ノズル54,54,…の先端開口は前記油受板30の上部（上流側）に配置している（図４，図５の状態を参照のこと）。この状態で、前記供給管53を介して前記供給ノズル54,54,…から前記油受板30の上流側に混入物（切粉等）が混入している切削油・潤滑油を供給する。すると、この切削油・潤滑油は前記油受板30の表面を下流方向へ流れる（図６の矢印方向）。そして、混入物（切粉等）Ｇ，Ｇ，…は、磁石Ｎ，Ｎ，…の磁力によって前記油受板30の表面に吸着除去される。そして、浄化された切削油・潤滑油は浄化液受け箱60に流入する。
【００４７】
その後、前記カバー具80を開き（図６の状態）、更に、前記把手32を把持して前記油受板30を揺動し、略、垂直状態にする（図７の状態）。すると、前記油受板30は磁石Ｎ，Ｎ，…から離脱するため、前記油受板30上の混入物（切粉等）Ｇ，Ｇ，…に磁力は及ばず、この結果、この混入物（切粉等）Ｇ，Ｇ，…は重力によって前記油受板30を滑り落ち、前記受け箱71に収容される。なお、重力によって自然落下しない混入物（切粉等）Ｇ，Ｇ，…はヘラ等によって前記切粉受け箱71に落下させる。
【００４８】
このようにして、前記切粉等が混入している切削油・潤滑油Ｏは浄化され、第二排出管Ｅ２を介して前記油タンクＴ内に戻される。
【００４９】
なお、図４，５において、90は圧送ポンプであり、前記遠心分離式混入物除去手段Ｃに残存する不純物を回収するためのものである。
【産業上の利用可能性】
【００５０】
コンパクトな装置によって潤滑油・切削油等の混入物を、磁性体・非磁性体にかかわらず分離除去できる。このため、潤滑油・切削油等の混入する混入物を除去する作業の作業能率を向上させる際に利用できる。
【図面の簡単な説明】
【００５１】
【図１】図１は第１発明に係る切削油・潤滑油の混入物除去装置の回路図である。
【図２】図２は第２発明に係る切削油・潤滑油の混入物除去装置の回路図である。
【図３】図３は第３発明に係る切削油・潤滑油の混入物除去装置の回路図である。
【図４】図４は第１〜３発明で使用される磁石式混入物除去手段の斜視図である。
【図５】図５は第１〜３発明で使用される磁石式混入物除去手段の斜視図である。
【図６】図６はカバー具を開けた状態の斜視図である。
【図７】図７はさらに同油受板を略垂直状態に立てた状態の斜視図である。
【符号の説明】
【００５２】
Ａ  …  吸引ホース
Ｃ  …  遠心分離式混入物除去手段
ｃ  …  吸入ポート
Ｄ  …  切削油・潤滑油の切粉除去装置
ｄ    …  排出ポート
Ｅ    …  排出管
Ｅ１  …  第一排出管
Ｅ２  …  第二排出管
Ｍ  …  磁石式混入物除去手段
ｍ  …  吸入ポート
Ｎ  …  永久磁石（磁石）
ｎ    …  排出ポート
Ｏ  …  切削油・潤滑油
Ｐ  …  送液ポンプ
Ｔ  …  油タンク
Ｖ１  …  バルブ
Ｖ２  …  バルブ
10  …  基台（フレーム）
11  …  天板（フレーム）
12  …  脚板（フレーム）
20  …  磁石取付板
21  …  折り曲げ片
30  …  油受板
32  …  把手
50  …  支持具
51  …  蝶番
53  …  液供給管
54  …  供給ノズル
55  …  フレキシブル連結管
60  …  浄化液受け箱
71  …  混入物受け箱
80  …  カバー具
81  …  窓
811 …  蝶番
【図１】
2008137132.tif 000003
【図２】
2008137132.tif 000004
【図３】
2008137132.tif 000005
【図４】
2008137132.tif 000006
【図５】
2008137132.tif 000007
【図６】
2008137132.tif 000008
【図７】
2008137132.tif 000009